(57)【要約】【課題】歯面分離振動を低減することが可能なスクリュー圧縮機を提供することを目的とする。【解決手段】雄ロータ及び雌ロータの歯部を覆うボア部と、雄ロータの雄歯溝と雌ロータの雌歯溝とボア部とで形成された複数個の作動室と、ボア部の圧縮した気体を吐出する側に設けられた吐出ポートと、ボア部の気体を吐出する側であり、吐出ポートとは異なる位置に設けられた凹部とを備え、気体の吐出側端面であり、雄ロータと雌ロータとの接触点が前進面に１箇所、後進面に２箇所ある位置関係にあり、雌ロータの回転中心から前進面の接触点までの距離が、雌ロータの回転中心から後進面の雌ロータに近い側の接触点までの距離よりも大きくなる場合において、前進面の接触点と後進面の雌ロータに近い側の接触点からなる作動室と凹部との連通面積は、後進面の２箇所の接触点からなる作動室と吐出ポートとの連通面積よりも広い。【選択図】  図１
2011074807.tif 000002
【特許請求の範囲】
【請求項１】
気体を吸入して圧縮し、外部へ吐出するスクリュー圧縮機において、
互いに噛み合った雄ロータ及び雌ロータと、
前記雄ロータと前記雌ロータとを回転させる機構と、
前記雄ロータ及び前記雌ロータとが収められたケーシングと、
前記ケーシングに形成され、前記雄ロータ及び前記雌ロータの歯部を覆うボア部と、
前記雄ロータの雄歯溝と前記雌ロータの雌歯溝と前記ボア部とで形成された複数個の作動室と、
前記ボア部の前記圧縮した気体を吐出する側に設けられた吐出ポートと、
前記ボア部の前記気体を吐出する側であり、前記吐出ポートとは異なる位置に設けられた凹部とを備え、
前記気体の吐出側端面であり、前記雄ロータと前記雌ロータとの接触点が前進面に１箇所、後進面に２箇所ある位置関係にあり、前記雌ロータの回転中心から前記前進面の接触点までの距離が、前記雌ロータの回転中心から前記後進面の前記雌ロータに近い側の接触点までの距離よりも大きくなる場合において、
前記前進面の接触点と前記後進面の前記雌ロータに近い側の接触点からなる作動室と前記凹部との連通面積は、前記後進面の２箇所の接触点からなる作動室と前記吐出ポートとの連通面積よりも広いことを特徴とするスクリュー圧縮機。
【請求項２】
請求項１に記載のスクリュー圧縮機において、
前記吐出ポートから前記凹部までの最小距離は、前記気体の吐出側端面における前記雌ロータの最小の歯厚よりも大きいことを特徴とするスクリュー圧縮機。
【請求項３】
請求項２に記載のスクリュー圧縮機において、
前記吐出ポートは、前記雄ロータの回転中心と前記雌ロータの回転中心を結ぶ直線に対して、前記雄ロータと前記雌ロータが噛み合いを始める領域に設けられたことを特徴とするスクリュー圧縮機。
【請求項４】
請求項３に記載のスクリュー圧縮機において、
前記凹部は、前記雄ロータの回転中心と前記雌ロータの回転中心を結ぶ直線に対して、前記雄ロータと前記雌ロータの噛み合いが終わる領域に設けられたことを特徴とするスクリュー圧縮機。
【請求項５】
請求項４に記載のスクリュー圧縮機において、
前記複数個の作動室のうち、容積が最大を過ぎて最小過程になる付近の作動室には、前記気体とは異なる液体を注入する構造が設けられたことを特徴とするスクリュー圧縮機。
【発明の詳細な説明】
【技術分野】
【０００１】
本発明は、スクリュー圧縮機に関わる。
【背景技術】
【０００２】
スクリュー圧縮機には、特有の振動現象として歯面分離振動がある。ここで、その発生原理を簡単に説明しておく。雌ロータに作用するガストルクの向きは、通常、回転を抑制する方向（逆回転方向）であり、それに抗して雌ロータを駆動することで圧縮動作をしている。そして、多くの場合に、雌ロータは雄ロータから回転伝達されている。特に、油冷式機では、雄及び雌ロータ歯面が油で潤滑されているため、雌雄ロータ間の歯面接触が可能で、歯車のように歯面を介して正トルクが伝達される。
【０００３】
空気圧縮機では、圧縮した空気の吐出量を調整する必要があり、広く使われているのが吸入絞り式の吐出空気量制御法（容量制御）である。この方法で吐出量を減らしたい場合には、吸入流路を弁で絞りアンロードと呼ばれる運転条件にする。このアンロード条件では、吸入圧力や吐出圧力がフルロード時の圧力と異なり、瞬間的には雌ロータに正回転方向のガストルクが作用することがある。ガストルクが正回転方向になると、雌ロータはガストルクにより駆動されることになり、雄ロータから雌ロータへの伝達トルクが負となって、雄ロータと接触していた歯面が離れる。この状態は継続せずに、時間経過でロータの回転位置が変わるとガストルクが負に戻り、その後は正負交互に繰り返す。そのため、歯面の分離にはじまって、表裏両歯面での衝突を繰り返す現象に発展することもある。この振動現象を歯面分離振動と呼んでおり、騒音を増大し、極端な場合には歯面損傷に至ることもあるため防止すべきものである。
【０００４】
その防止法として、特開２０００−１５４７９２号公報には、歯形形状を工夫することにより歯面分離振動を原理的に発生させない方法が開示されている。また、油冷式機において、作動室（特開昭５８−１３１３８８号公報では、「作動空間」と記載）に残った油が閉じ込められて、ガストルク以上に大きなトルクを発生し騒音や振動の増大を招く現象（油の閉じ込み）も知られており、この現象が歯面分離を増長する。この現象を発生させない構造に関して、特開昭５８−１３１３８８号公報には、吐出側端面に凹部を設ける方法が開示されている。さらに、特開昭５８−１３１３８８号公報をより発展させた特開２００８−８２２７３号公報がある。
【先行技術文献】
【特許文献】
【０００５】
【特許文献１】特開２０００−１５４７９２号公報
【特許文献２】特開昭５８−１３１３８８号公報
【特許文献３】特開２００８−８２２７３号公報
【発明の概要】
【発明が解決しようとする課題】
【０００６】
上記した特開２０００−１５４７９２号公報は、確実に歯面分離振動を防止できるものの、歯形がある程度限定されるので、歯形設計の自由が制約される。そのため、圧縮機としての高性能化や加工の効率化をめざした歯形を開発する際には制約条件となり、歯面分離防止と高性能や高加工性との両立が難しかった。
【０００７】
また、特開昭５８−１３１３８８号公報及び特開２００８−８２２７３号公報では、吐出側端面に設けた凹部により、作動室に閉じ込められた油が、さらなる容積縮小により異常に高い圧力を発生し振動騒音を発するのを防止する方法が開示されている。しかし、歯面分離の原因となる雌ロータに作用する正回転方向のガストルクの防止方法については、言及されていなかった。
【０００８】
本発明は、上記課題に鑑みて成されたものであり、歯面分離振動を低減することが可能なスクリュー圧縮機を提供することを目的とする。
【課題を解決するための手段】
【０００９】
上記課題を解決するために、本発明は、気体を吸入して圧縮し、外部へ吐出するスクリュー圧縮機において、互いに噛み合った雄ロータ及び雌ロータと、前記雄ロータと前記雌ロータとを回転させる機構と、前記雄ロータ及び前記雌ロータとが収められたケーシングと、前記ケーシングに形成され、前記雄ロータ及び前記雌ロータの歯部を覆うボア部と、前記雄ロータの雄歯溝と前記雌ロータの雌歯溝と前記ボア部とで形成された複数個の作動室と、前記ボア部の前記圧縮した気体を吐出する側に設けられた吐出ポートと、前記ボア部の前記気体を吐出する側であり、前記吐出ポートとは異なる位置に設けられた凹部とを備え、前記気体の吐出側端面であり、前記雄ロータと前記雌ロータとの接触点が前進面に１箇所、後進面に２箇所ある位置関係にあり、前記雌ロータの回転中心から前記前進面の接触点までの距離が、前記雌ロータの回転中心から前記後進面の前記雌ロータに近い側の接触点までの距離よりも大きくなる場合において、前記前進面の接触点と前記後進面の前記雌ロータに近い側の接触点からなる作動室と前記凹部との連通面積は、前記後進面の２箇所の接触点からなる作動室と前記吐出ポートとの連通面積よりも広い。さらに、前記吐出ポートから前記凹部までの最小距離は、前記気体の吐出側端面における前記雌ロータの最小の歯厚よりも大きい。さらに、前記吐出ポートは、前記雄ロータの回転中心と前記雌ロータの回転中心を結ぶ直線に対して、前記雄ロータと前記雌ロータが噛み合いを始める領域に設けられる。さらに、前記凹部は、前記雄ロータの回転中心と前記雌ロータの回転中心を結ぶ直線に対して、前記雄ロータと前記雌ロータの噛み合いが終わる領域に設けられる。さらに、前記複数個の作動室のうち、容積が最大を過ぎて最小過程になる付近の作動室には、前記気体とは異なる液体を注入する構造が設けられる。
【発明の効果】
【００１０】
本発明によれば、歯面分離振動を低減することが可能なスクリュー圧縮機を提供することができる。
【図面の簡単な説明】
【００１１】
【図１】吐出側端面におけるロータと流路の位置関係を示す図である。
【図２】図１よりも回転が進んだ状態の図である。
【図３】図２よりも回転が進んだ状態の図である。
【図４】図３よりも回転が進んだ状態の図である。
【図５】油冷式スクリュー圧縮機の概略構造である。
【図６】雌ロータにおける接触点の回転半径の変化を示すグラフである。
【発明を実施するための形態】
【００１２】
気体を吸入して圧縮し、外部へ吐出するスクリュー圧縮機において、雄ロータと雌ロータを互いに噛み合わせて回転すると、雄ロータ及び雌ロータの歯面の相互が接触する点や僅かな隙間を残して接近する点が現れ、雄ロータ及び雌ロータの回転とともに発生，移動，消滅を繰り返す。図示しないが、スクリュー圧縮機は、雄ロータと雌ロータを回転させる機構を備える。相手歯と極めて接近した点も歯形設計上は、接触点と同一に取り扱える。なぜなら、極めて接近した雄ロータ及び雌ロータの各歯面上それぞれの点も、理想的な歯面どうしの場合には、接触して１点となるように設計しているためである。実際のロータでは、加工誤差，熱変形，ガス圧変形，振動等を考慮して雄ロータと雌ロータとの歯面間に隙間を与えているため、雄ロータ及び雌ロータの各々の歯面上に２つの点として存在する。以下の実施例では、この接近した雄ロータ及び雌ロータの歯面上の２点も広義の接触点とした。
【００１３】
また、ロータの吐出側端面と、それと向き合ったボア部端面の間にも、ロータの円滑な回転を維持するために、微小な隙間を設けている。したがって、ボア部の端面に開口した吐出ポートと、雄ロータと雌ロータとの歯溝に形成された作動室の位置がずれても、この微小な隙間を通って僅かな流れは生じる。しかし、この流れは極めて少ない量なので、以下の実施例では、この流れを無視し、吐出ポートと作動室の間も、それらの輪郭線内側がずれていれば連通しないと見なすことにする。
【００１４】
上記した前提に基づいて、実施例１を、図１〜図６を用いて説明する。図１は、ボア部の端面にロータの吐出側端面を重ね書きした図である。図２〜図４は、図１と同じ断面でロータの回転を順次進めた状態を示している。図５は、油冷式のスクリュー圧縮機の模式的な断面図である。
【００１５】
図５に示すように、スクリュー圧縮機は、雄ロータ１と雌ロータ２（図５で奥方向にあるため図示せず）を噛み合わせてケーシング３内に形成したボア部４に収める。このボア部４は、雄ロータと雌ロータの歯部を覆っている。このボア部４は、一部を重複し、長さの等しい２つの円筒状の穴である。このボア部４の両側の端面には、雄ロータ１及び雌ロータ２の軸が貫通する軸穴があけてある。雄ロータ１，雌ロータ２とともに歯を形成した部分の両側に張り出した軸部を軸受５で回転自在に軸支する。雄ロータ１の軸の一端は、ケーシング３外部に引き出して、ここを動力入力軸６とする。ケーシング３は、主ケーシング３ａと、副ケーシング３ｂに分割した構造である。主ケーシング３ａ及び副ケーシング３ｂの合わせ面は、吐出側端面７に一致する。雄ロータ１及び雌ロータ２の歯溝は、ボア部４の内周面や端面によって塞がれて作動室８で示す閉じた空間となる。
【００１６】
なお、作動室８は、厳密には完全に閉じた空間ではなく、雄ロータ１と雌ロータ２とが噛み合った隙間や、雄ロータ１及び雌ロータ２の外周とボア部４の内周面との間の隙間で、隣接する別な作動室等と非常に狭い断面積で連通している。これらの隙間は、雄ロータ１及び雌ロータ２の円滑な回転のために設けたものであるが、実施例１を述べる上で不要であるため、説明を省略する。また、雄ロータ１の雄歯溝と雌ロータ２の雌歯溝とボア部４とで複数個の作動室を形成する。
【００１７】
ケーシング３には、外部からボア部４まで連通する吸入流路９と吐出流路１０と呼ぶ２つの貫通路を形成し、それら貫通路のボア部４への開口部を吸入ポート１１，吐出ポート１２と呼ぶ。すなわち、吐出ポート１２は、ボア部４の圧縮した気体を吐出する側に設けられる。
【００１８】
図１は、副ケーシング３ｂの吐出側端面７をロータの側から見た図である。雄ロータ１及び雌ロータ２の外形である歯形は、吐出側端面７における輪郭線で示している。ボア部４の端面には、吐出ポート１２が開口し、この吐出ポート１２とは異なる位置に行き止まりの凹部１５を設けている。また、吐出ポート１２は、雄ロータ１の回転中心と雌ロータ２の回転中心を結ぶ直線に対して、雄ロータ１と雌ロータ２が噛み合いを始める領域に設けられる。また、凹部１５は、雄ロータ１の回転中心と雌ロータ２の回転中心を結ぶ直線に対して、雄ロータ１と雌ロータ２の噛み合いが終わる領域に設けられる。吐出ポート１２と凹部１５の輪郭形状は、次に述べる条件を満たすものとする。
【００１９】
吐出ポート１２は、作動室８の容積が所定の値まで縮小したときに、雄歯溝８２及び雌歯溝８３において、連通を開始する形状にしている。そして、従来のスクリュー圧縮機では、内容積が０となって作動室が消滅するまで、その作動室が吐出ポート１２と連通を持続するようにしたものが多い。しかし、実施例１のスクリュー圧縮機の吐出ポート１２の形状は、作動室の内容積が残った状態で連通が終了される形状としている。そのため、吐出ポート１２の輪郭線は、雄ロータ１と雌ロータ２の回転中心を結ぶ線分１６よりもロータ対の回転方向で手前側、即ち、図１で下側の範囲に留まる。なぜなら、作動室は、この線１６上かそれよりも上で最終的に消滅するためである。
【００２０】
すなわち、実施例１では、気体の吐出側端面７であり、雄ロータ１と雌ロータ２との接触点が前進面に１箇所、後進面に２箇所ある位置関係にあり、雌ロータ２の回転中心から前進面の接触点までの距離が、雌ロータ２の回転中心から後進面の雌ロータ２に近い側の接触点までの距離よりも大きくなる場合において、前進面の接触点と後進面の雌ロータ２に近い側の接触点からなる作動室と凹部１５との連通面積は、後進面の２箇所の接触点からなる作動室と吐出ポート１２との連通面積よりも広くしている。
【００２１】
凹部１５は、吐出側端面７上で雄ロータ１と雌ロータ２の回転中心を結ぶ線分１６をはさんで、吐出ポート１２と反対側に設けられる。そして、先に述べた吐出ポート１２との連通が終了する作動室が、それと相前後して凹部１５に連通を開始する。内容積が０となって作動室が消滅するまで、凹部１５との連通が持続するように凹部１５の輪郭形状を決めてある。同時に、凹部１５は、吸入ポート１１に連通して容積拡大中である別の作動室とも、より広い面積で連通する輪郭形状としておく。
【００２２】
実施例１では、次のように作用する。
【００２３】
図１において、雄歯溝８１と雌歯溝８２は、別の作動室に見えるが、吸入側方向にある別の断面では互いに連通し、１つの作動室を形成している。また、この作動室は、最大容積であった時点から容積が数分の１に縮小しており、十分に圧縮が進んだ状態となっている。この位置から更に、雄ロータ１，雌ロータ２が矢印の向きに回転すると、図２に示すように、雄歯溝（作動室）８１と雌歯溝（作動室）８２は、その一部が吐出ポート１２の輪郭内に入り、雄歯溝８１，雌歯溝８２と吐出ポート１２は互いに連通する。連通した状態で、作動室８１，作動室８２の内容積が縮小し続けるので、内部の気体を吐出ポート１２から吐出流路１０を経て外部に送り出す作用がある。
【００２４】
更に、雄ロータ１，雌ロータ２が回転すると図２の状態を経て、図３に示すように、雄歯溝８１と雌歯溝８２がつながった断面が吐出側端面７上に現れ、１つの作動室であることが明白となる。この時点においても、作動室８１，作動室８２と吐出ポート１２の連通は持続している。図４の状態を経て再び図１に戻り、着目していた作動室は、１歯分だけ進み、作動室８３の状態に至る。
【００２５】
更に回転が進んだ図２の作動室８３は、ボア部４の外周から離れて雄ロータ１及び雌ロータ２の歯面とボア部４の端面だけに囲まれた作動室となる。図２は、吐出側端面７上で雄ロータ１及び雌ロータ２の歯面が後進面で接触を開始した瞬間を示す。そして、生成したばかりの接触点２２は、作動室８３の輪郭形状の端となっている。この後の回転で、接触点２２は、２つの接触点に分離する。一方、この間、前進面側の接触点２１は、移動するものの１点での接触が継続する。
【００２６】
図２において、前進面の接触点２１の雌ロータ２における回転半径をＲLとし、後進面の接触点２２の雌ロータ２における回転半径をＲTとする。後進面の接触点が２つある回転角度の場合には、回転半径の小さい方をＲTとする。接触点は、ロータの回転によって移動し、それにつれてＲLとＲTも変化する。
【００２７】
図６は、このＲLとＲTの変化を示したグラフを示す図である。横軸は、時間の進みに対応した雄ロータ１，雌ロータ２の回転角度θを示す。縦軸は、接触点の雌ロータ２における回転半径を示す。後進面の接触点２２は、図２に示した回転角度θSで出現し、この回転半径ＲTは次第に減少する。一方で、前進面の接触点２１は、それ以前から存在しており、その回転半径ＲLも次第に減少する。後進面の接触点２２が出現した時点では、ＲTはＲLよりも大きい。しかし、ＲTの減少率がＲLの減少率よりも大きいため、回転角度θCで大小関係が逆転する。回転が進むと２つの接触点２１と２２は次第に接近して、最終的に回転角度θeで１つになるためＲT＝ＲLとなる。次の瞬間には、雄ロータ１の歯面と雌ロータ２の歯面が離れるため接触点は消滅する。
【００２８】
回転角度θCからθeの範囲ではＲL＞ＲTの関係になるため、これらの断面では作動室８３の内圧が高いと雌ロータ２に回転方向のガストルクを発生する。先に述べたように、回転方向のガストルクは、歯面分離振動の主因なので、発生を避けるか、軽減したいものである。
【００２９】
特に、従来の油冷式や水注入式のスクリュー圧縮機では、吐出ポートが開き、圧縮された気体の吐き出しが始まっても作動室の進行方向の逆端部には密度の大きい液体が残りがちである。図３に示すような典型的な回転角度で、作動室８３と吐出ポート１２等との連通面積が不足すると、作動室８３内部に残っていた液が閉じ込められ圧力急上昇を発生しがちであった。その場合には、作動室８３の内圧は、圧縮された気体の吐出圧力をはるかに超えて、雌ロータ２に作用するトルクも非常に大きなものとなる。
【００３０】
これに対して、実施例１では、図３における作動室８３は吐出ポート１２から離れて、凹部１５と連通している。凹部１５の一部は、比較的低圧の作動室８４に連通しているため、容積縮小中の作動室８３内部の流体は凹部１５へ流れ出て、作動室８３の内圧は降下する。作動室８４は、吸入過程あるいは圧縮開始直後のため、内圧は吸入圧に近い。したがって、作動室８３の内圧も吸入圧近くまで降下するため、発生するガストルクは、数分の１に小さくなる。その値は、ロータの他の部分に作用するガストルクに比較しても小さく、ロータを正回転させるには及ばない。したがって、歯面分離振動に至る可能性は無くなり、静かな運転が確保できる。
【００３１】
実施例１では、図３において作動室８３が吐出ポート１２と連通を絶つのとほぼ同時期に凹部１５との連通を開始している。このために、吐出ポート１２から凹部１５までの最小距離は、気体の吐出側端面７における雌ロータ２の最小の歯厚よりも大きくしている。
【００３２】
しかし、吐出ポート１２との連通を絶つ前に凹部と連通を開始し、両方に連通する時間帯を設ける方法もある。作動室内にある流体の慣性や粘性が大きい場合には、それらを理由に流れや圧力変化が遅れるのを防ぎ、実施例１の効果を確実に実現できる。
【００３３】
実施例１では、作動室８３の容積が０にならないうちに吐出ポート１２との連通を絶ち、内部に残った流体を低圧側に逃がすため、逃がした流体の圧縮に要したエネルギが損失になる懸念がある。しかし、図３における作動室８３の内容積は、吐出流体の数百分の１以下と小さく、その損失は小さい。また、油冷式のスクリュー圧縮機においては、終期の作動室には圧縮した気体よりも油が残っている割合が高く、非圧縮性の流体である油が低圧側に抜けてもエネルギ損失は極めて小さい。よって、性能低下の懸念は、杞憂といえるレベルに留まる。
【００３４】
以上、実施例１によれば、歯形設計の自由度を制約することなく、油の閉じ込みや圧縮作用の反力としての雌ロータに作用する正回転方向のトルクの発生を防止し、歯面分離しないスクリュー圧縮機を提供することが可能となる。また、吸入や吐出の圧力条件にかかわらず、歯面分離しないスクリュー圧縮機を提供することが可能となる。さらに、ロータの歯形形状に対して制約条件を設けないため、歯形の設計自由度が高く、高性能の歯形や加工性の良い歯形との両立が可能となる。
【００３５】
また、油を注入する方式である油冷式や、水を注入する方式のスクリュー圧縮機においては、容積が最大を過ぎて最小過程になる付近の作動室８４に、気体とは異なる液体を注入する構造が設けることにより、上述した効果を得ることが可能となる。
【００３６】
また、実施例１では、雄ロータの歯数が４枚、雌ロータの歯数が５枚を例として説明したが、歯数には関係なく、歯面分離を防止する効果が期待できる。
【符号の説明】
【００３７】
１  雄ロータ
２  雌ロータ
３  ケーシング
４  ボア部
５  軸受
６  動力入力軸
７  吐出側端面
８，８３  作動室
９  吸入流路
１０  吐出流路
１１  吸入ポート
１２  吐出ポート
１５  凹部
１６  雄ロータと雌ロータの回転中心を結ぶ線分
２１  前進面の接触点
２２  後進面の接触点
２３  半径大の後進面の接触点
８１  雄歯溝
８２  雌歯溝
８４  吸入作動室
【図１】
2011074807.tif 000003
【図２】
2011074807.tif 000004
【図３】
2011074807.tif 000005
【図４】
2011074807.tif 000006
【図５】
2011074807.tif 000007
【図６】
2011074807.tif 000008